【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
インターネットプロトコル（ＩＰ）ネットワークに結合されたターゲットコールプロバイダと複数の呼ホストエンドポイントのうちの１つとの間のＩＰベースのネットワークにわたるボイス通信リンクの迅速な確立を容易にする方法であって、該複数のエンドポイントの各々は、ヒューマンインタラクティブメディアアプリケーションサービスを提供するように構成され、少なくとも１つのネットワークインタフェースを介して該ＩＰネットワークに結合されており、該方法は、
呼要求を接続プロキシに送ることであって、該呼要求は、該ターゲットコールプロバイダを指示し、要求されるアプリケーションサービスを含むリンク特性を指示する、ことと、
該呼要求に応答して、該ターゲットコールプロバイダと、該複数のエンドポイントのうちの選択された１つとの間の該ボイス通信リンクの確立を容易にすることと
を含み、
該容易にすることは、
該呼要求の該指示されたリンク特性と、複数のエンドポイントの各々に対して維持される状態情報との間の適切な一致に基づいて該複数のエンドポイントのうちの１つを選択することであって、該状態情報は、該複数のエンドポイントの各々の最新の判明している動作ステータスを含意し、該最新の判明している動作ステータスは、該呼要求を受け入れる該複数のエンドポイントの各々の能力を示す、ことと、
該接続プロキシから該選択されたエンドポイントに該呼要求を転送することと、
該選択されたエンドポイントからの応答を該接続プロキシに戻すことであって、該戻された応答は、該選択されたエンドポイントの現在の動作ステータスに基づいて該呼要求を受け入れる該選択されたエンドポイントの現在の能力を示す、ことと、
該戻された応答によって示される該現在の動作ステータスに基づいて、該選択されたエンドポイントに対する該状態情報を更新することと、
該戻された応答が、該選択されたエンドポイントが該呼要求を受け入れることを示す場合、該ターゲットコールプロバイダと該選択されたエンドポイントとの間に該ボイス通信リンクを確立することと
をさらに含む、方法。
【請求項２】
前記戻された応答が、拒否応答である場合、
まだ選択されていない前記複数のエンドポイントから、前記複数のエンドポイントのうちの１つを選択することを繰り返すことと、
前記呼要求を転送することと、該戻された応答が該呼要求の受け入れを示すまで、該選択されたエンドポイントに対する応答を戻すこととを繰り返すことと
をさらに含む、請求項１に記載の方法。
【請求項３】
応答が、所定の時間内において前記選択されたエンドポイントによって戻されない場合、
該選択されたエンドポイントに対する前記状態情報を更新することにより、該所定の時間内において応答を戻さなかったことを反映することと、
まだ選択されていない全てのエンドポイントに対して、前記複数のエンドポイントのうちの１つを選択することを繰り返すことと、
前記呼要求を転送することと、該戻された応答が該呼要求の受け入れを示すまで、該選択されたエンドポイントに対する応答を戻すこととを繰り返すことと
をさらに含む、請求項１に記載の方法。
【請求項４】
前記接続プロキシは、前記呼要求の受け入れを示す戻された応答を受信することなしに、前記複数のエンドポイントのうちの１つを選択することを繰り返すことが所定の回数に達した後に、該呼要求を拒否する、請求項２に記載の方法。
【請求項５】
前記拒否された呼要求は、第２の複数のエンドポイントに結合された第２の接続プロキシに送信され、該第２の接続プロキシは、該第２の複数のエンドポイントに代わって、該拒否された呼要求に応答して、前記容易にすることを実行する、請求項４に記載の方法。
【請求項６】
前記接続プロキシは、前記容易にすることを実行し、該接続プロキシは、前記ターゲットコールプロバイダと前記選択されたエンドポイントとの間の前記確立された通信リンクにわたる全ての通信に参加しない、請求項１に記載の方法。
【請求項７】
前記呼要求は、前記ターゲットコールプロバイダによって生成されたインバウンドセッション開始プロトコル（ＳＩＰ）呼要求である、請求項１に記載の方法。
【請求項８】
前記呼要求は、ジョブ開始サービス（ＪＩＳ）によって生成されたアウトバウンドセッション開始プロトコル（ＳＩＰ）呼要求である、請求項１に記載の方法。
【請求項９】
前記複数のエンドポイントのうちの前記選択された１つのエンドポイントは、該選択されたエンドポイントの現在の動作ステータスと、前記呼要求によって指示された前記リンク特性とを考慮して、該選択されたエンドポイント自身の基準に基づいて該呼要求を受け入れるか否かを決定する、請求項１に記載の方法。
【請求項１０】
前記選択されたエンドポイントによって前記接続プロキシに戻された前記応答は、複数のクラスのうちの１つであり得、該複数のクラスの各々は、異なる動作ステータスと、前記呼要求を処理する能力とを示す状態情報を伝達する、請求項１に記載の方法。
【請求項１１】
前記複数のクラスのうちの１つは、前記選択されたエンドポイントが前記呼要求を受け入れ、すぐに前記指示されたアプリケーションサービスを提供することが可能であることを示す、請求項１０に記載の方法。
【請求項１２】
前記呼要求を受け入れる前記複数のクラスのうちの１つは、前記選択されたエンドポイントが、構成遅延の後に前記要求されたアプリケーションサービスを提供することが可能であることを示し、
該選択されたエンドポイントが、所定の受け入れ可能な遅延時間内に該呼要求を受け入れる準備ができることを示す第２の応答を戻す場合、前記接続プロキシは、前記選択されたエンドポイントに代わって前記確立することを実行する、請求項１０に記載の方法。
【請求項１３】
前記クラスは、クラスコードとして前記戻された応答内に組み込まれ、前記選択されたエンドポイントに対する前記状態情報は、少なくとも、該組み込まれたクラスコードに基づいて更新される、請求項１０に記載の方法。
【請求項１４】
前記適切な一致は、前記複数のエンドポイントのうちのどのエンドポイントが、前記呼要求を受け入れ、かつ、該エンドポイントの状態情報を考慮して前記要求されたアプリケーションサービスを提供することが可能である可能性が最も高いかに基づく最も良い一致である、請求項１に記載の方法。
【請求項１５】
インターネットプロトコル（ＩＰ）ベースのネットワークにわたるボイス通信リンクの迅速な確立を容易にするシステムであって、該通信リンクは、ヒューマンインタラクティブメディアアプリケーションをサポートし、該システムは、
複数の呼ホストエンドポイントであって、該複数のエンドポイントの各々は、ヒューマンインタラクティブメディアアプリケーションサービスを提供するように構成されている、複数の呼ホストエンドポイントと、
該ＩＰネットワークと該複数のエンドポイントとの間に結合された少なくとも１つのネットワークインタフェースと、
エンドポイント状態テーブルであって、該エンドポイント状態テーブルは、該複数のエンドポイントの各々に対する状態情報を維持し、該状態情報は、該複数のエンドポイントの各々の最新の判明している動作ステータスを含意し、該最新の判明している動作ステータスは、呼要求を受け入れる該複数のエンドポイントの各々の能力を示す、エンドポイント状態テーブルと、
該少なくとも１つのネットワークインタフェースと該複数のエンドポイントとの間に結合された接続プロキシであって、該接続プロキシは、該エンドポイント状態テーブルとさらに通信している、接続プロキシと
を含み、
該接続プロキシは、ターゲットコールプロバイダと該複数のエンドポイントのうちの１つとの間の通信リンクを確立するためのものであり、それにより、該接続プロキシは、
該少なくとも１つのネットワークインタフェースを介して呼要求を受信することであって、該呼要求は、ターゲットコールプロバイダを指示し、所望のボイス通信リンクのリンク特性を指示し、該リンク特性は、要求されるアプリケーションサービスを含む、ことと、
該呼要求の該指示されたリンク特性と、該状態情報との間の適切な一致に基づいて該複数のエンドポイントのうちの１つを選択することと、
該接続プロキシから該選択されたエンドポイントに該呼要求を転送することと、
該選択されたエンドポイントからの応答を受信することであって、該受信された応答は、該選択されたエンドポイントの現在の動作ステータスに基づいて該呼要求を受け入れる該選択されたエンドポイントの現在の能力を示す、ことと、
戻された応答によって示される該現在の動作ステータスに基づいて、該選択されたエンドポイントに対する該状態情報を更新することと、
該戻された応答が、該選択されたエンドポイントが該呼要求を受け入れることを示す場合、該ターゲットコールプロバイダと該選択されたエンドポイントとの間に該ボイス通信リンクを確立することと
を行うように構成されている、システム。
【請求項１６】
前記接続プロキシは、前記受信された応答が、拒否応答である場合、
まだ選択されていない前記複数のエンドポイントから、前記複数のエンドポイントのうちの１つを選択することを繰り返すことと、
前記呼要求を転送することと、前記戻された応答が該呼要求の受け入れを示すまで、該選択されたエンドポイントから応答を受信することとを繰り返すことと
を行うようにさらに構成されている、請求項１５に記載のシステム。
【請求項１７】
前記接続プロキシは、応答が、所定の時間内において前記選択されたエンドポイントによって戻されない場合、
該選択されたエンドポイントに対する前記状態情報を更新することにより、該所定の時間内において応答を受信しなかったことを反映することと、
まだ選択されていない全てのエンドポイントに対して、前記複数のエンドポイントのうちの１つを選択することを繰り返すことと、
前記呼要求を転送することと、該戻された応答が該呼要求の受け入れを示すまで、該選択されたエンドポイントに対する応答を受信することとを繰り返すことと
を行うようにさらに構成されている、請求項１５に記載のシステム。
【請求項１８】
前記接続プロキシは、前記呼要求の受け入れを示す戻された応答を受信することなしに、所定の回数より多い回数で前記複数のエンドポイントのうちの１つを選択しようとした後に、該呼要求を拒否するようにさらに構成されている、請求項１６に記載のシステム。
【請求項１９】
前記拒否された呼要求は、前記少なくとも１つのネットワークインタフェースと第２の複数のエンドポイントとの間に結合された第２の接続プロキシに送信され、該第２の接続プロキシは、該第２の複数のエンドポイントに代わって、該拒否された呼要求に応答して、通信リンクを確立することを容易にするように構成されている、請求項１８に記載のシステム。
【請求項２０】
前記接続プロキシは、前記ターゲットコールプロバイダと前記選択されたエンドポイントとの間の前記確立された通信リンクにわたる全ての通信に参加しない、請求項１５に記載のシステム。
【請求項２１】
前記呼要求は、前記ターゲットコールプロバイダによって生成されたインバウンドセッション開始プロトコル（ＳＩＰ）呼要求である、請求項１５に記載のシステム。
【請求項２２】
前記呼要求は、ジョブ開始サービス（ＪＩＳ）によって生成されたアウトバウンドセッション開始プロトコル（ＳＩＰ）呼要求である、請求項１５に記載のシステム。
【請求項２３】
前記複数のエンドポイントのうちの前記選択された１つのエンドポイントは、該選択されたエンドポイントの現在の動作ステータスと、前記呼要求によって指示された前記リンク特性とを考慮して、該選択されたエンドポイント自身の基準に基づいて該呼要求を受け入れるか否かを決定する、請求項１５に記載のシステム。
【請求項２４】
前記接続プロキシによって前記選択されたエンドポイントから受信された前記応答は、複数のクラスのうちの１つであり得、該複数のクラスの各々は、異なる動作ステータスと、前記呼要求を処理する能力とを示す状態情報を伝達する、請求項１５に記載のシステム。
【請求項２５】
前記複数のクラスのうちの１つは、前記選択されたエンドポイントが前記呼要求を受け入れ、すぐに前記指示されたアプリケーションサービスを提供することが可能であることを示す、請求項２４に記載のシステム。
【請求項２６】
前記呼要求を受け入れる前記複数のクラスのうちの１つは、前記選択されたエンドポイントが、構成遅延の後に前記要求されたアプリケーションサービスを提供することが可能であることを示し、
該選択されたエンドポイントが、所定の受け入れ可能な遅延時間内に該呼要求を受け入れる準備ができることを示す第２の応答を戻す場合、前記接続プロキシは、前記選択されたエンドポイントに代わって前記通信リンクを確立する、請求項２４に記載のシステム。
【請求項２７】
前記クラスは、クラスコードとして前記受信された応答内に組み込まれ、前記選択されたエンドポイントに対する前記状態情報は、少なくとも、該組み込まれたクラスコードに基づいて更新される、請求項２４に記載のシステム。
【請求項２８】
前記適切な一致は、前記複数のエンドポイントのうちのどのエンドポイントが、前記呼要求を受け入れ、かつ、該エンドポイントの状態情報を考慮して前記要求されたアプリケーションサービスを提供することが可能である可能性が最も高いかに基づく最も良い一致である、請求項１５に記載のシステム。
【請求項２９】
前記複数のエンドポイントの各々は、確立された通信リンクの終了後、ある期間に対して現在のアプリケーション構成を保持するようにさらに構成されている、請求項１５に記載のシステム。
【請求項３０】
前記状態情報は、前記複数のエンドポイントの各々に対する最新の判明しているアプリケーション構成を含む、請求項１５に記載のシステム。
【請求項３１】
前記複数のエンドポイントの各々は、所定の間隔で前記接続プロキシに現在の状態情報を送信するようにさらに構成され、該接続プロキシは、該現在の状態情報で前記エンドポイント状態テーブルを更新するように構成されている、請求項１５に記載のシステム。
【請求項３２】
複数の接続プロキシをさらに含み、該複数の接続プロキシの各々は、少なくとも１つのネットワークインタフェースを介して前記ＩＰネットワークに結合され、該複数の接続プロキシの各々は、前記複数のエンドポイントの特有のサブセットに結合され、該複数の接続プロキシの各々は、ターゲットコールプロバイダと、該複数の接続プロキシの各々の特有のサブセットのエンドポイントとの間に通信リンクを確立するように構成されている、請求項１５に記載のシステム。
【請求項３３】
複数の接続プロキシの各々は、該接続プロキシ自身の特有のサブセットのエンドポイントに対するステータス情報を維持する、請求項１５に記載のシステム。
【手続補正２】
【補正対象書類名】明細書
【補正対象項目名】００２１
【補正方法】変更
【補正の内容】
【００２１】
さらに別の好ましい実施形態では、選択されたＥＰは、第１のタスクサーバと、第１のシンボリックサーバと、第１のアコースティックサーバとを含み、第１のタスクサーバは、アプリケーションサービスを提供するように構成される。別の好ましい実施形態では、要求元は、通信システムの外部にあるコールプロバイダである。別の好ましい実施形態では、要求元は、通信システムの内部にあるジョブ開始サービス（ＪＩＳ）である。
本願明細書は、例えば、以下の項目も提供する。
（項目１）
ヒューマンインタラクティブメディアのための通信リンクを確立するための方法であって、
通信システムによって実行される、呼要求を要求元から受信することであって、
前記通信システムが、接続プロキシ（ＣＰ）と、複数のエンドポイント（ＥＰ）とを有し、
前記ＣＰが、ＥＰとコールプロバイダとの間に通信リンクを確立するように構成され、
前記ＣＰがエンドポイント状態テーブル（ＥＳＴ）を有し、前記ＥＳＴが、前記複数のエンドポイント（ＥＰ）のそれぞれと関連する状態情報を格納するように構成され、
各ＥＰが、通信リンクを経由して要求元に１つまたは複数のアプリケーションサービスを提供するように構成される、ことと、
前記ＣＰによって実行される、前記呼要求に基づいて前記ＥＳＴを使用して、選択されるＥＰを前記複数のＥＰから選択することと、
前記ＣＰによって実行される、前記選択されたＥＰに第１のリンク要求を送ることと、
前記ＣＰによって実行される、前記選択されたＥＰから第１の応答を受信することであって、
前記ＥＰが、前記要求された通信リンクを確立するように構成されているかどうかを前記第１の応答が示す、ことと、
前記ＣＰによって実行される、前記第１の応答を組み込むために前記ＥＳＴを修正することと、
前記選択されたＥＰが、前記要求された通信リンクを受け入れるように構成されていることを前記第１の応答が示す場合、前記選択されたＥＰと前記コールプロバイダとの間に前記要求された通信リンクを確立することであって、前記要求された通信リンクが前記ＣＰを含まない、ことと
を含む、方法。
（項目２）
前記ＣＰによって実行される、前記選択されたＥＰが、前記要求された通信リンクを確立するように構成されていないことを前記第１の応答が示す場合、前記ＥＳＴを使用して代替ＥＰを前記複数のＥＰから選択することと、
前記ＣＰによって実行される、前記代替ＥＰに第２のリンク要求を送ることと、
前記ＣＰによって実行される、前記代替ＥＰから第２の応答を受信することであって、
前記ＥＰが、前記要求された通信リンクを確立するように構成されているかどうかを前記第２の応答が示す、ことと、
前記ＣＰによって実行される、前記第２の応答を組み込むために前記ＥＳＴを修正することと、
前記代替ＥＰが、前記要求された通信リンクを確立するように構成されていることを前記第２の応答が示す場合、前記代替ＥＰと前記コールプロバイダとの間に前記要求された通信リンクを確立することと
をさらに含む、項目１に記載の方法。
（項目３）
各ＥＰが、通信リンクの終了後、現在のアプリケーション構成をある期間保持するように構成される、項目１に記載の方法。
（項目４）
前記第１の応答が、前記選択されたＥＰと関連する状態情報を含む、項目１に記載の方法。
（項目５）
前記呼要求が、前記複数のＥＰのうちの１つまたは複数によって提供される複数のアプリケーションサービスから選択されるアプリケーションサービスを識別する、項目１に記載の方法。
（項目６）
前記状態情報が、各ＥＰの最新の判明しているアプリケーション構成を含む、項目１に記載の方法。
（項目７）
前記状態情報が、各ＥＰの最新の判明しているアプリケーション構成を含み、選択されるＥＰの前記選択が、前記選択されるＥＰの前記最新の判明しているアプリケーション構成に基づく、項目１に記載の方法。
（項目８）
前記ＣＰが、前記ＥＳＴ内の状態情報が所定の基準を満たすＥＰのサブセットから選択を行い、前記所定の基準が、前記ＥＰから最後に受信した応答以降の時間を含む、項目１に記載の方法。
（項目９）
前記ＣＰが複数のＣＰのうちの１つである、項目１に記載の方法。
（項目１０）
前記ＣＰが複数のＣＰのうちの１つであり、前記複数のＣＰのそれぞれが同一の構成を有する、項目１に記載の方法。
（項目１１）
前記ＣＰがセッション開始プロトコル（ＳＩＰ）プロキシである、項目１に記載の方法。
（項目１２）
前記複数のＥＰのそれぞれが、セッション開始プロトコル（ＳＩＰ）が有効化された呼ホストである、項目１に記載の方法。
（項目１３）
前記複数のＥＰのそれぞれが、前記ＣＰに所定の間隔で状態情報を送信する、項目１に記載の方法。
（項目１４）
前記選択されたＥＰが、前記要求された通信リンクを受け入れるようにそれ自体を構成しているが、前記要求された通信リンクを受け入れる準備がまだ整っていないことを前記第１の応答が示す場合、前記選択されたＥＰからの第２の応答を待つことと、
前記選択されたＥＰが、前記要求された通信リンクを受け入れるように構成されていることを前記第２の応答が示す場合、前記選択されたＥＰと前記コールプロバイダとの間に前記要求された通信リンクを確立することであって、前記要求された通信リンクが前記ＣＰを含まない、ことと
をさらに含む、項目１に記載の方法。
（項目１５）
前記選択されたＥＰが、第１のタスクサーバと、第１のシンボリックサーバと、第１のアコースティックサーバとを含み、前記第１のタスクサーバが、アプリケーションサービスを提供するように構成される、項目１に記載の方法。
（項目１６）
前記要求元が、前記通信システムの外部にあるコールプロバイダである、項目１に記載の方法。
（項目１７）
前記要求元が、前記通信システムの内部にあるジョブ開始サービス（ＪＩＳ）である、項目１に記載の方法。
（項目１８）
ヒューマンインタラクティブメディアのための通信リンクを確立するためのシステムであって、
内部システムと、少なくとも１つのコールプロバイダを含む外部システムとに結合するように構成されたインタフェースであって、
呼要求を要求元から受信するようにさらに構成され、前記呼要求が、要求された通信リンクを前記コールプロバイダと呼ホストとの間に確立することを企図する、インタフェースと、
前記インタフェースに結合された内部システムであって、少なくとも１つの接続プロキシ（ＣＰ）と、呼ホストとして作用する複数のエンドポイント（ＥＰ）とを含む、内部システムと
を備え、
前記少なくとも１つのＣＰがエンドポイント状態テーブル（ＥＳＴ）を有し、前記ＥＳＴが、複数のＥＰのそれぞれと関連する状態情報を格納するように構成され、
前記少なくとも１つのＣＰが、前記呼要求を前記インタフェースから受信することと、前記ＥＳＴを使用して、選択されるＥＰを前記複数のＥＰから選択することと、前記選択されたＥＰに第１のリンク要求を送ることとを行うように構成され、
各ＥＰが、１つまたは複数のアプリケーションサービスを提供することと、第１のリンク要求を前記少なくとも１つのＣＰから受信することと、前記ＥＰが前記要求された通信リンクを確立するように構成されているかどうかを示す応答を送ることとを行うように構成され、
前記少なくとも１つのＣＰが、前記応答を組み込むために前記ＥＳＴを修正することと、前記選択されたＥＰが前記要求された通信リンクを確立するように構成されていることを前記応答が示す場合、前記選択されたＥＰと前記コールプロバイダとの間に前記要求された通信リンクを確立することであって、前記確立された通信リンクが前記少なくとも１つのＣＰを含まない、こととを行うようにさらに構成される、システム。
（項目１９）
前記少なくとも１つのＣＰが、
前記選択されたＥＰが前記要求された通信リンクを確立するように構成されていないことを前記応答が示す場合、前記ＥＳＴを使用して代替ＥＰを前記複数のＥＰから選択することと、
前記代替ＥＰに第２のリンク要求を送ることと、
第２の応答を前記代替ＥＰから受信することであって、前記第２の応答が、前記ＥＰが前記要求された通信リンクを確立するように構成されているかどうかを示す、ことと、
前記第２の応答を組み込むために前記ＥＳＴを修正することと、
前記代替ＥＰが前記要求された通信リンクを確立するように構成されていることを前記第２の応答が示す場合、前記代替ＥＰと前記コールプロバイダとの間に前記要求された通信リンクを確立することと
を行うようにさらに構成される、項目１８に記載のシステム。
（項目２０）
各ＥＰが、通信リンクの終了後、現在のアプリケーション構成をある期間保持するようにさらに構成される、項目１８に記載のシステム。
（項目２１）
前記応答が、前記選択されたＥＰと関連する状態情報を含む、項目１８に記載のシステム。
（項目２２）
前記要求が、前記複数のＥＰのうちの１つまたは複数によって提供される複数のアプリケーションサービスから選択されるアプリケーションサービスを識別する、項目１８に記載のシステム。
（項目２３）
前記状態情報が、各ＥＰの最新の判明しているアプリケーション構成を含む、項目１８に記載のシステム。
（項目２４）
前記状態情報が、各ＥＰの最新の判明しているアプリケーション構成を含み、選択されるＥＰを選択することが、前記選択されるＥＰの前記最新の判明しているアプリケーション構成に基づく、項目１８に記載のシステム。
（項目２５）
前記少なくとも１つのＣＰが、選択されるＥＰを、前記ＥＳＴ内の状態情報が所定の基準を満たすＥＰのサブセットから選択するようにさらに構成され、前記所定の基準が、前記ＥＰから最後に受信した応答以降の時間を含む、項目１８に記載のシステム。
（項目２６）
前記少なくとも１つのＣＰのそれぞれが同一の構成を有する、項目１８に記載のシステム。
（項目２７）
前記少なくとも１つのＣＰがセッション開始プロトコル（ＳＩＰ）プロキシである、項目１８に記載のシステム。
（項目２８）
前記複数のＥＰのそれぞれが、セッション開始プロトコル（ＳＩＰ）が有効化された呼ホストである、項目１８に記載のシステム。
（項目２９）
前記複数のＥＰのそれぞれが、前記少なくとも１つのＣＰに所定の間隔で状態情報を送信するようにさらに構成される、項目１８に記載のシステム。
（項目３０）
前記少なくとも１つのＣＰが、
前記選択されたＥＰが前記要求された通信リンクを受け入れるようにそれ自体を構成しているが、前記要求された通信リンクを受け入れる準備がまだ整っていないことを前記第１の応答が示す場合、前記選択されたＥＰからの第２の応答を待つことと、
前記選択されたＥＰが前記要求された通信リンクを受け入れるように構成されていることを前記第２の応答が示す場合、前記選択されたＥＰと前記コールプロバイダとの間に前記要求された通信リンクを確立することであって、前記要求された通信リンクが前記少なくとも１つのＣＰを含まない、ことと
を行うようにさらに構成される、項目１８に記載のシステム。
（項目３１）
前記選択されたＥＰが、第１のタスクサーバと、第１のシンボリックサーバと、第１のアコースティックサーバとを含み、前記第１のタスクサーバが、アプリケーションサービスを提供するように構成される、項目１８に記載のシステム。
（項目３２）
前記要求元が、前記通信システムの外部にあるコールプロバイダである、項目１８に記載のシステム。
（項目３３）
前記要求元が、前記通信システムの内部にあるジョブ開始サービス（ＪＩＳ）である、項目１８に記載のシステム。
【手続補正３】
【補正対象書類名】明細書
【補正対象項目名】発明の名称
【補正方法】変更
【補正の内容】
【発明の名称】最新の判明している呼ホストエンドポイントステータスを用いてＩＰネットワークにわたるヒューマン／マシンボイス通信リンクの迅速な確立の容易化